(57)【要約】      （修正有）【課題】装置全体を小型化すると共に、メンテナンスを容易に行うことができる調圧機能付き止水栓装置、及び、それを備えた水栓装置及び湯水混合水栓装置を提供する。【解決手段】本発明の調圧機能付き止水栓装置１は、通水路２４内に螺合されるねじ部４０と、回転軸部４２と、流入口２４ｄを開閉する止水弁体部４４と、を備えた止水栓部材３４と、この止水栓部材の回転軸部及び止水弁体部のそれぞれの外周を取り囲むようにほぼ筒状に形成された調圧弁体４８と、この調圧弁体の内部に設けられた調圧ばね５０と、を一体的に備えた調圧弁３６と、を有する。【選択図】図４
2014009782.tif 000002
【特許請求の範囲】
【請求項１】
通水路を止水状態又は通水状態に切り替え、流出する水の圧力を調整する調圧機能付き止水栓装置であって、
水栓装置の上流側に形成される通水路内に螺合されるねじ部と、一端部が上記ねじ部の一部と一体的に形成されて他端部が長手方向軸線の軸線回りの回転操作可能な操作部となる回転軸部と、この回転軸部から半径方向外側に突出し上記ねじ部及び上記回転軸部の回転に応じて上記通水路の流入口に対して軸方向に相対的に移動して上記流入口を開閉する止水弁体部と、を備えた止水栓部材と、上記止水栓部材の回転軸部に対して軸方向に移動可能に取り付けられて上記止水栓部材の回転軸部及び止水弁体部のそれぞれの外周を取り囲むようにほぼ筒状に形成された調圧弁体と、この調圧弁体の内部に設けられて上記調圧弁体を軸方向外側に付勢する調圧ばねと、を備えた調圧弁であって、
上記調圧弁体は、上記調圧ばねからの軸方向外側への付勢力を内側から受けると共に上記止水栓部材の止水弁体部が上記通水路の流入口を開放した通水状態のときに上記調圧弁体を軸方向内側に移動させる水圧を外側から受ける受圧部を備え、この受圧部で受圧した上記調圧弁体が軸方向に移動することにより上記調圧弁体と上記通水路の流入口との相対的な距離を調整して上記通水路から上記水栓装置へ流出する水の圧力を調整する上記調圧弁と、を有し、
上記調圧ばねと、上記調圧弁体と、上記止水弁体と、が一体的に取り外せるように組みつけられていることを特徴とする調圧機能付き止水栓
【請求項２】
上記止水栓部材の回転軸部は、上記調圧弁の調圧ばねが上記調圧弁体の受圧部を軸方向外側に付勢しているときに、上記調圧弁体が上記止水栓部材の回転軸部の所定位置よりも軸方向外側に移動しないように規制するための移動規制手段を備えている請求項１記載の調圧機能付き止水栓装置。
【請求項３】
上記移動規制手段は、上記止水栓部材の回転軸部の所定位置に形成された切欠きに嵌め込まれて上記調圧弁体の軸方向外側端部に当接可能に半径方向外側に突出する止め環部材である請求項２記載の調圧機能付き止水栓装置。
【請求項４】
上記通水路に取り付けられた状態で上記止水栓部材の回転軸部の操作部が操作可能となるように上記止水栓部材及び上記調圧弁の外周の一部を取り囲み、上記止水栓部材及び上記調圧弁の軸方向の移動をガイドする上記止水栓ガイド部を有し、
上記止水栓ガイド部材は、上記通水路に取り付けられた上記止水栓部材及び上記調圧弁に軸方向外側から着脱可能に取り付けられ、
上記止水栓部材の止水弁体部が上記通水路の流入口を閉鎖している止水状態で上記通水路から取り外し可能であり、
止水栓ガイド部材本体と、上記調圧弁の調圧弁体の外周側の通水路を取り囲むように上記止水栓ガイド部材本体に取り付けられて上記通水路から流出する水をろ過するフィルター部材と、を備えている請求項１乃至３の何れか１項記載の調圧機能付き止水栓装置。
【請求項５】
上記調圧ばねは一端部が止水弁部に当接し、他端部が調圧弁体と当接している請求項１乃至４の何れか１項に記載の調圧機能付き止水栓装置。
【請求項６】
請求項１乃至５の何れか１項に記載の調圧機能付き止水栓装置を備えた水栓装置であって、
吐水口が形成された水栓装置本体と、
吐水状態と止水状態に切り替える吐止水切替手段と、を有することを特徴とする水栓装置。
【請求項７】
湯と水を混合して所定温度に調節した湯水を吐水又は止水する、請求項１乃至５の何れか１項に記載の調圧機能付き止水栓装置を備えた湯水混合水栓装置であって、
湯と水が混合される湯水混合水栓装置本体と、
この湯水混合水栓装置本体に設けられた吐水部と、
吐水状態と止水状態に切り替える吐止水切替手段と、
上記湯水混合水栓装置本体の上流側に接続され、湯側通水路を形成する湯側脚部材と、  上記湯水混合水栓装置本体の上流側に接続され、水側通水路を形成する水側脚部材と、  を有することを特徴とする調圧機能付き止水栓装置を備えた湯水混合水栓装置。
【発明の詳細な説明】
【技術分野】
【０００１】
本発明は、調圧機能付き止水栓装置、及び、それを備えた水栓装置及び湯水混合水栓装置に係わり、特に、通水路を止水状態又は通水状態に切り替え、流出する水の圧力を調整する調圧機能付き止水栓装置、及び、それを備えた水栓装置及び湯水混合水栓装置に関する。
【背景技術】
【０００２】
従来から、水栓装置、特に、洗面所、浴室、キッチン等で用いられ、電気温水器等の給湯システムの給湯源から供給される湯を水と混合し、サーモスタット等の温度調節装置によって所定温度に調節した湯水を開閉弁の開閉により吐水状態又は止水状態に切り替える湯水混合水栓装置の上流側の通水路に設けられた止水栓に調圧機能を付加することは、止水栓自体の調節を行う負担を減らすことができるという長所や、通水路から湯水混合水栓装置へ流出する水の圧力を安定化させて湯水混合水栓装置から吐水される湯水の温度を安定化させることができるという長所、或いは、通水路内のウォーターハンマー現象による異音を低減できるという長所等が知られている。
【０００３】
また、従来の止水栓と調圧弁を組み込んだ水栓装置として、例えば、特許文献１に記載されているように、湯水混合水栓装置本体の上流側の通水路を形成する水栓脚部に互いに分離可能な止水栓と調圧弁が組み込まれ、止水栓が調圧弁の外部に同一軸上に直列に配置され、止水栓によって通水路を止水した状態で調圧弁のみを取り外してメンテナンスを行うことができるようになっているものが知られている。
【０００４】
さらに、従来の止水栓と調圧弁を組み込んだ水栓装置として、例えば、特許文献２に記載されているように、地中の給水管のメーター手前に設置される止水栓に調圧弁が並列して配置されたものも知られている。
【０００５】
また、特許文献３には、水素ガス供給装置のガス通路を開閉する開閉弁自体に調圧弁の機能を持たせた装置が記載されており、この装置では、ガス通路を開放した状態の開閉弁を調圧弁として機能させるために、開閉弁の弁体を先端部に設けたピストン部材を収容する作動室内に、このピストン部材を軸方向に付勢するように調圧ばねが配置され、ピストン部材の外側の受圧室内の圧力による押圧力と、この押圧力と反対方向に作用する調圧ばねの付勢力とのバランスにより、開閉弁が軸方向に移動して開放状態のガス通路内の圧力が調整されるようになっている。
【先行技術文献】
【特許文献】
【０００６】
【特許文献１】特許第４６６６２８０号公報
【特許文献２】特許第４２２４６００号公報
【特許文献３】特開２００８−１５１１５７号公報
【発明の概要】
【発明が解決しようとする課題】
【０００７】
しかしながら、上述した特許文献１に記載されている水栓装置では、止水栓が調圧弁の外部の同一軸上に直列に配置されているため、止水栓と調圧弁が組み込まれる水栓装置全体の軸方向の長さが、単に止水栓のみを備えた水栓装置の軸方向の長さに比べて少なくとも調圧弁の全長分だけ長くなり、水栓装置全体の大きさも大きくなるという問題がある。また、単に止水栓のみを備えた既存の水栓装置に別部品の調圧弁を取り付けた場合には、コストアップにつながるという問題もある。
【０００８】
また、上述した特許文献２に記載されている水栓装置では、止水栓と調圧弁が並列して配置されているため、止水栓と調圧弁を通過する水をろ過するフィルター部材を止水栓と調圧弁に対して同軸上に配置することができないため、コストアップにつながるという問題がある。
【０００９】
さらに、上述した特許文献３に記載されている装置では、調圧ばねが配置されている作動室内とガス通路が連通しているため、水栓装置として適用した場合には、通水路から作動室内に水が流入してしまうという問題がある。また、作動室の外周面が、ガス通路の出口路を形成するハウジングによって一体的に形成されているため、ハウジングを取り外すと共に、ピストン部材と調圧ばねが作動室から外れ、ピストン部材の先端の弁体がガス通路の流入口を閉鎖できなくなるという問題がある。したがって、開閉弁がガス通路を閉鎖した状態を維持しながら、装置のメンテナンスを行うことができないという問題がある。
【００１０】
そこで、本発明は、上述した従来技術の問題を解決するためになされたものであり、装置全体を小型化すると共に、メンテナンスを容易に行うことができる調圧機能付き止水栓装置、及び、それを備えた水栓装置及び湯水混合水栓装置を提供することを目的としている。
【課題を解決するための手段】
【００１１】
通水路を止水状態又は通水状態に切り替え、流出する水の圧力を調整する調圧機能付き止水栓装置であって、水栓装置の上流側に形成される通水路内に螺合されるねじ部と、一端部が上記ねじ部の一部と一体的に形成されて他端部が長手方向軸線の軸線回りの回転操作可能な操作部となる回転軸部と、この回転軸部から半径方向外側に突出し上記ねじ部及び上記回転軸部の回転に応じて上記通水路の流入口に対して軸方向に相対的に移動して上記流入口を開閉する止水弁体部と、を備えた止水栓部材と、上記止水栓部材の回転軸部に対して軸方向に移動可能に取り付けられて上記止水栓部材の回転軸部及び止水弁体部のそれぞれの外周を取り囲むようにほぼ筒状に形成された調圧弁体と、この調圧弁体の内部に設けられて上記調圧弁体を軸方向外側に付勢する調圧ばねと、を備えた調圧弁であって、上記調圧弁体は、上記調圧ばねからの軸方向外側への付勢力を内側から受けると共に上記止水栓部材の止水弁体部が上記通水路の流入口を開放した通水状態のときに上記調圧弁体を軸方向内側に移動させる水圧を外側から受ける受圧部を備え、この受圧部で受圧した上記調圧弁体が軸方向に移動することにより上記調圧弁体と上記通水路の流入口との相対的な距離を調整して上記通水路から上記水栓装置へ流出する水の圧力を調整する上記調圧弁と、を有し、上記調圧ばねと、上記調圧弁体と、上記止水弁体と、が一体的に取り外せるように組みつけられていることを特徴としている。
このように構成された本発明においては、調圧弁の調圧ばねが調圧弁体の内部に設けられる構造となっており、調圧弁の調圧弁体が止水栓部材の回転軸部及び止水弁体部と調圧ばねのそれぞれの外周を取り囲むようにほぼ筒状に形成され、調圧ばねと止水栓部材の止水弁体部が調圧弁の調圧弁体の内部に収容されている構造となっているため、止水栓部材の止水弁体部が調圧弁の調圧弁体の外部に軸方向に直列に配置された構造に比べて、止水栓部材の止水弁体部から調圧弁の調圧弁体の受圧部までの軸方向の距離を短くすることができ、調圧機能付き止水栓装置全体の軸方向の長さを短くすることができる。さらには、調圧ばね、調圧弁体、止水弁体が一体的に組み込まれ、ユニット化されているため、メンテナンスを行う際にも一体的に取り外すことができ、交換を行う際にもユニットごと交換を行うことが可能となる。
したがって、調圧機能付き止水栓装置全体の大きさについて、従来の調圧機能を備えていない止水栓装置全体と同程度の大きさに抑えることができ、さらにはメンテナンスも容易に行うことができる。
【００１２】
本発明において、好ましくは、上記止水栓部材の回転軸部は、上記調圧弁の調圧ばねが上記調圧弁体の受圧部を軸方向外側に付勢しているときに、上記調圧弁体が上記止水栓部材の回転軸部の所定位置よりも軸方向外側に移動しないように規制するための移動規制手段を備えている。
このように構成された本発明においては、調圧弁体が止水栓部材の回転軸部の所定位置よりも軸方向外側に移動しないように規制するための止水栓部材の回転軸部の移動規制手段により、止水栓部材の回転軸部に対する調圧弁の調圧弁体の軸方向の移動範囲を規制して一体化することができるため、調圧機能付き止水栓装置全体の軸方向の長さを効果的に抑えることができる。
【００１３】
本発明において、好ましくは、上記移動規制手段は、上記止水栓部材の回転軸部の所定位置に形成された切欠きに嵌め込まれて上記調圧弁体の軸方向外側端部に当接可能に半径方向外側に突出する止め環部材である。
このように構成された本発明においては、調圧弁体が止水栓部材の回転軸部の所定位置よりも軸方向外側に移動しないように規制するための移動規制手段として、簡易な構造である止め環部材を採用し、止水栓部材の回転軸部の所定位置に形成された切欠きに嵌め込むことにより、この止め環部材が調圧弁体の軸方向外側端部に当接可能に半径方向外側に突出し、止水栓部材の回転軸部に対する調圧弁の調圧弁体の軸方向の移動範囲を容易に規制して一体化することができる。したがって、簡単な構成によって調圧機能付き止水栓装置全体の軸方向の長さを効果的に抑えることができる。
【００１４】
本発明において、好ましくは、上記通水路に取り付けられた状態で上記止水栓部材の回転軸部の操作部が操作可能となるように上記止水栓部材及び上記調圧弁の外周の一部を取り囲み、上記止水栓部材及び上記調圧弁の軸方向の移動をガイドする上記止水栓ガイド部を有し、上記止水栓ガイド部材は、上記通水路に取り付けられた上記止水栓部材及び上記調圧弁に軸方向外側から着脱可能に取り付けられ、上記止水栓部材の止水弁体部が上記通水路の流入口を閉鎖している止水状態で上記通水路から取り外し可能であり、止水栓ガイド部材本体と、上記調圧弁の調圧弁体の外周側の通水路を取り囲むように上記止水栓ガイド部材本体に取り付けられて上記通水路から流出する水をろ過するフィルター部材と、を備えている。
このように構成された本発明においては、調圧ばね、調圧弁体、止水弁体がユニット化された調圧機能付き止水栓に、フィルター部品を取り付けた止水栓ガイド部材を別途取り付けることによって、止水栓部材の止水弁体部が通水路の流入口を閉鎖している止水状態で止水栓ガイド部材を通水路から取り外すことが可能となる。止水栓ガイド部材以外のユニット化された止水栓を通水路に取り付けた状態を維持しながら、止水状態を維持しながら、フィルター部材についてのメンテナンスを容易に行うことができる。
【００１５】
本発明において、好ましくは、上記調圧ばねは一端部が止水弁部に当接し、他端部が調圧弁体と当接している。
このように構成された本発明においては、調圧ばねが直接止水弁部および調圧ばねと当接することによって、必要なばねの性質を確保しながら調圧弁と止水弁部の距離を最短とすることが可能となる。したがって、調圧機能付き止水栓装置全体の軸方向の長さをより効果的に抑えることができる。
【００１６】
つぎに、本発明は、上記調圧機能付き止水栓装置を備えた水栓装置であって、吐水口が形成された水栓装置本体と、吐水状態と止水状態に切り替える吐止水切替手段と、を有することを特徴としている。
このように構成された本発明においては、水栓装置本体の上流側に形成される通水路に取り付けられた調圧機能付き止水栓装置の止水栓部材の回転軸部の操作部を操作することにより、止水栓部材の止水栓弁部が通水路の流入口を閉鎖する止水操作を容易に行うことができる。
【００１７】
つぎに、本発明は、湯と水を混合して所定温度に調節した湯水を吐水又は止水する、上記調圧機能付き止水栓装置を備えた湯水混合水栓装置であって、湯と水が混合される湯水混合水栓装置本体と、この湯水混合水栓装置本体に設けられた吐水部と、吐水状態と止水状態に切り替える吐止水切替手段と、上記湯水混合水栓装置本体の上流側に接続され、湯側通水路を形成する湯側脚部材と、上記湯水混合水栓装置本体の上流側に接続され、水側通水路を形成する水側脚部材と、を有することを特徴としている。
このように構成された本発明においては、湯水混合水栓装置本体の上流側に接続される湯側脚部材又は水側脚部材の少なくとも一方の脚部材に取り付けられた調圧機能付き止水栓装置の止水栓部材の回転軸部の操作部を操作することにより、止水栓部材の止水栓弁部が脚部材の通水路の流入口を閉鎖して止水操作を容易に行うことができる。さらに、現場で湯側通水路及び水側通水路のそれぞれから湯水混合水栓装置本体に供給される湯と水のそれぞれの供給圧力が大きく異なる場合であっても、調圧機能付き止水栓装置の調圧弁を通過する水の圧力がほぼ一定に調整されるため、湯水混合水栓装置本体に供給された湯水が所定の設定温度とほぼ等しい温度に調節され、湯水混合水栓装置の吐水部から適温な湯水を吐水することができる。
【発明の効果】
【００１８】
本発明の調圧機能付き止水栓装置、及び、それを備えた水栓装置及び湯水混合水栓装置によれば、装置全体を小型化すると共に、メンテナンスを容易に行うことができる。
【図面の簡単な説明】
【００１９】
【図１】本発明の第１実施形態による調圧機能付き止水栓装置を備えた水栓装置（湯水混合水栓装置）を示す概略斜視図である。
【図２】本発明の第１実施形態による調圧機能付き止水栓装置の分解斜視図である。
【図３】本発明の第１実施形態による調圧機能付き止水栓装置を備えた水栓装置の水側脚部材を示す正面図である。
【図４】本発明の第１実施形態による止水状態の調圧機能付き止水栓装置を備えた水栓装置の水側脚部材の平面断面図である。
【図５】本発明の第１実施形態による中圧時の通水状態の調圧機能付き止水栓装置を備えた水栓装置の水側脚部材の部分を拡大した部分拡大断面図である。
【図６】本発明の第１実施形態による調圧機能付き止水栓装置の止水栓部材を正面側斜め上方から見た斜視図である。
【図７】本発明の第１実施形態による調圧機能付き止水栓装置の調圧弁の調圧弁体を正面側斜め上方から見た斜視図である。
【図８】本発明の第１実施形態による調圧機能付き止水栓装置の止水栓ガイド部材の止水栓ガイド部材本体とこの止水栓ガイド部材本体に取り付けられるフィルター部材を示す斜視図である。
【図９】本発明の第１実施形態による高圧時の通水状態の調圧機能付き止水栓装置を備えた水栓装置の水側脚部材の部分を拡大した部分拡大断面図である。
【図１０】本発明の第２実施形態による低圧時の通水状態の調圧機能付き止水栓装置を備えた水栓装置の水側脚部材の部分を拡大した部分拡大断面図である。
【図１１】本発明の第３実施形態による低圧時の通水状態の調圧機能付き止水栓装置を備えた水栓装置の水側脚部材の部分を拡大した部分拡大断面図である。
【図１２】本発明の第４実施形態による低圧時の通水状態の調圧機能付き止水栓装置を備えた水栓装置の水側脚部材の部分を拡大した部分拡大断面図である。
【発明を実施するための形態】
【００２０】
以下、添付図面を参照して本発明の調圧機能付き止水栓装置、及び、調圧機能付き止水栓装置を備えた水栓装置の実施形態について説明する。
図１は、本発明の第１実施形態による調圧機能付き止水栓装置を備えた水栓装置（湯水混合水栓装置）を示す概略斜視図である。
図１に示すように、本発明の第１実施形態による調圧機能付き止水栓装置１を備えた水栓装置である湯水混合水栓装置２は、湯水混合水栓装置本体４を有し、湯水混合水栓装置本体４は、その背面側に突出する湯側流入部６及び水側流入部８、先端部に吐水口１０ａが形成されたスパウト１０、シャワーホース１２、温度調節装置１４、スパウト１０の吐水口１０ａによるカラン吐水又はシャワーホース１２によるシャワー吐水に切り替え可能な流量調整機能を備えたカラン／シャワー切替装置１６を備えている。このような温度調節装置１４を備えた湯水混合水栓装置２は、いわゆる「サーモスタット混合栓」と呼ばれている。
【００２１】
また、湯水混合水栓装置２は、湯水混合水栓装置本体４の湯側流入部６及び水側流入部８のそれぞれの背面側（上流側）に接続され且つ調圧機能付き止水栓装置１がそれぞれ取り付けられる湯側脚部材１８及び水側脚部材２０をそれぞれ備え、湯側脚部材１８及び水側脚部材２０のそれぞれの内部には、湯側通水路２２及び水側通水路２４がそれぞれ形成されている。
なお、本実施形態では、例として、調圧機能付き止水栓装置１を湯水混合水栓装置２の湯側脚部材１８及び水側脚部材２０の双方に適用させる形態について説明するが、このような形態に限定されず、湯側脚部材１８については、調圧機能を備えずに止水機能のみを備えた脚部材となるように構成し、水側脚部材２０のみに本実施形態の調圧機能付き止水栓装置１を適用させる形態であってもよい。また、このような形態とは逆に、湯側脚部材１８のみに本実施形態の調圧機能付き止水栓装置１を適用させてもよい。
また、湯側脚部材１８及び水側脚部材２０の構成については同一であるため、以下、湯側脚部材１８については説明を省略し、水側脚部材２０のみについて具体的に説明する。
【００２２】
つぎに、図１〜図９を参照して、本実施形態の調圧機能付き止水栓装置１の詳細と、この調圧機能付き止水栓装置１が組み込まれた湯水混合水栓装置２の水側脚部材２０の詳細について具体的に説明する。
図２は本発明の第１実施形態による調圧機能付き止水栓装置の分解斜視図であり、図３は本発明の第１実施形態による調圧機能付き止水栓装置を備えた水栓装置の水側脚部材を示す正面図であり、図４は本発明の第１実施形態による止水状態の調圧機能付き止水栓装置を備えた水栓装置の水側脚部材の平面断面図であり、図５は本発明の第１実施形態による中圧時の通水状態の調圧機能付き止水栓装置を備えた水栓装置の水側脚部材の部分を拡大した部分拡大断面図である。
また、図６は本発明の第１実施形態による調圧機能付き止水栓装置の止水栓部材を正面側斜め上方から見た斜視図であり、図７は本発明の第１実施形態による調圧機能付き止水栓装置の調圧弁の調圧弁体を正面側斜め上方から見た斜視図であり、図８は本発明の第１実施形態による調圧機能付き止水栓装置の止水栓ガイド部材の止水栓ガイド部材本体とこの止水栓ガイド部材本体に取り付けられるフィルター部材を示す斜視図である。
さらに、図９は、本発明の第１実施形態による高圧時の通水状態の調圧機能付き止水栓装置を備えた水栓装置の水側脚部材の部分を拡大した部分拡大断面図である。
【００２３】
図２〜図５に示すように、水側脚部材２０の水側通水路２４は、水道等の給水源（図示せず）に接続される配管（図示せず）に接続される水側脚部材２０の上流側接続部２６に形成された入口２４ａから、湯水混合水栓装置本体４の水側流入部８に接続される水側脚部材２０の下流側接続部２８に形成された出口２４ｂまで、水側脚部材２０の内部にクランク状に形成されている。
また、この水側通水路２４は、その入口２４ａから調圧機能付き止水栓装置１が取り付けられる取付室２４ｃまで延びる１次側通水路３０と、水側通水路２４の取付室２４ｃから下流側に向って水側脚部材２０の正面２０ａ及び背面２０ｂとほぼ平行に所定距離に延びた後、前方の出口２４ｂに向って延びる２次側通水路３２とを備えている。
【００２４】
つぎに、図２に示すように、調圧機能付き止水栓装置１は、水側通水路２４の取付室２４ｃを形成する水側脚部材２０の所定の取付部２０ｃに取り付けられ、上流側から下流側にかけて止水栓部材３４、調圧弁３６及び止水栓ガイド部材３８を備えている。
【００２５】
図２、図５及び図６に示すように、止水栓部材３４は、水側通水路２４の取付室２４ｃの流入口２４ｄから上流側の１次側通水路３０の所定区間Ｓ１の内周に沿って形成された雌ねじ部２４ｅに螺合される雄ねじ部４０を備えている。
また、止水栓部材３４は、前後方向に延びる回転軸部４２を備え、この回転軸部４２の後端部４２ａは、雄ねじ部４０の前面４０ａの一部から前方へ突出する柱部４０ｂに一体的に形成されている。さらに、雄ねじ部４０の内周面４０ｃは、水側通水路２４の取付室２４ｃの流入口２４ｄが開放された通水状態のときに、一次側通水路３０と取付室２４ｃとを連通させる通水路を形成している。
【００２６】
一方、回転軸部４２の前端部は、回転軸部４２について調圧機能付き止水栓装置１の長手方向の中心軸線Ｃの軸線回りに回転操作可能な操作部４２ｂとなっている。この操作部４２ｂには、キー溝４２ｃが形成され、このキー溝４２ｃにマイナスドライバー等の工具（図示せず）を嵌め込んで回すことにより、止水栓部材３４の雄ねじ部４０及び回転軸部４２について中心軸線Ｃの軸線回りの回転操作を行うことができるようになっている。
【００２７】
さらに、止水栓部材３４は、回転軸部４２の後端部４２ａから半径方向外側に突出するように形成された止水弁体部４４を備え、この止水弁体部４４は、止水栓部材３４の操作部４２ｂによる回転操作が行われると、回転軸部４２の軸回りの回転に応じて水側通水路２４の取付室２４ｃの流入口２４ｄに対して軸方向に相対移動することにより、流入口２４ｄを開閉することができるようになっている。
【００２８】
また、止水栓部材３４の止水弁体部４４は、前後方向に所定間隔をおいて半径方向外側に突出するように形成された前側支持突起４４ａ及び後側支持突起４４ｂと、これらの前側支持突起４４ａと後側支持突起４４ｂとの間に取り付けられて保持される円環状のシール部材であるパッキン４６とを備えている。パッキン４６は、ゴム材料又は樹脂材料、或いはこれらの複合材料によって形成され、図４に示すように、止水栓部材３４の止水弁体部４４の後側支持突起４４ｂの後端部（回転軸部４２の後端部４２ａ）及びパッキン４６の後端面４６ａが水側通水路２４の取付室２４ｃの流入口２４ｄに当接して密着しているときには、流入口２４ｄが弁座となって水側通水路２４の１次側通水路３０と２次側通水路３２とが止水された状態となるようになっている。
一方、図５及び図９に示すように、止水栓部材３４の止水弁体部４４の後側支持突起４４ｂ及びパッキン４６が水側通水路２４の取付室２４ｃの流入口２４ｄに当接していないときには、水側通水路２４の１次側通水路３０と２次側通水路３２とが通水された状態となり、後述する調圧弁３６の調圧弁体４８がパッキン４６の外周面４６ｂに対して軸方向に摺動可能となり且つ水側通水路２４の取付室２４ｃ内に流入した水が調圧弁体４８の内部の後述する調圧ばね５０のばね室５２内に浸入しないように、パッキン４６の外周面４６ｂが調圧弁体４８の内周面４８ａとの隙間を密封するようになっている。
【００２９】
調圧弁３６は、止水栓部材３４の回転軸部４２に対して軸方向に移動可能に取り付けられた調圧弁体４８と、この調圧弁体４８を軸方向外側（図５の前側方向）に付勢する調圧ばね５０とを備えている。なお、「軸方向外側」とは、止水栓部材３４が流入口２４ｄを開放する方向、すなわち、止水栓部材３４の回転軸部４２の軸方向において、流入口２４ｄから離間する方向を意味する。
調圧弁体４８は、止水栓部材３４の回転軸部４２及び止水弁体部４４のそれぞれの外周を取り囲むようにほぼ筒状に形成され、その内部に設けられた調圧ばね５０が軸方向に伸縮して作動するためのばね室５２を形成している。
調圧ばね５０は、軸方向の圧縮力により軸方向に伸縮可能な圧縮コイルばねであり、予め所定の圧縮荷重（予荷重）を与えられた状態で調圧ばね５０の後端部５０ａが止水栓部材３４の止水弁体部４４の前側支持突起４４ａに当接し、調圧ばね５０の前端部５０ｂが調圧弁体４８の肩部４８ｂの内面に当接している。
【００３０】
また、図５及び図７に示すように、調圧弁体４８の肩部４８ｂの前面は、止水栓部材３４の止水弁体部４４が水側通水路２４の取付室２４ｃの流入口２４ｄを開放した通水状態のときに、調圧弁体４８を止水栓部材３４の回転軸部４２に対して軸方向内側（図５の後側方向）に移動させる水圧Ｐ１を外側から受ける受圧部４８ｃとなっている。
例えば、調圧弁体４８の受圧部４８ｃに作用する水側通水路２４の取付室２４ｃ内の水圧Ｐ１が所定値未満の場合には、調圧ばね５０は軸方向に撓まず、調圧弁体４８も止水栓部材３４の回転軸部４２に対して軸方向内側（図５の後側方向）に移動しないようになっている。
一方、調圧弁体４８の受圧部４８ｃが受圧する水圧Ｐ１が所定値以上の場合には、この水圧Ｐ１が調圧弁体４８を軸方向内側（図５の後側方向）に押圧する力が調圧ばね５０の付勢力Ｆ１（図５参照）を上回り、調圧弁体４８が止水栓部材３４の回転軸部４２に対して軸方向内側（図５の後側方向）に移動することにより、調圧弁体４８の後端側口縁部４８ｄと水側通水路２４の取付室２４ｃの流入口２４ｄとの相対的な距離ｄ１を調整し、一次側通水路３０から取付室２４ｃ内の流入口２４ｄを経て水側通水路２４の出口２４ｂから湯水混合水栓装置本体４へ流出する水の圧力が調整されるようになっている。
【００３１】
ここで、図５及び図９は、水圧Ｐ１の中圧時の通水状態の調圧弁３６の調圧弁体４８の軸方向の位置と、この水圧Ｐ１よりも高い水圧Ｐ２の高圧時の通水状態の調圧弁３６の調圧弁体４８の軸方向の位置をそれぞれ示しているが、図９に示す水圧Ｐ２の高圧時の通水状態においては、調圧弁体４８の後端側口縁部４８ｄと水側通水路２４の取付室２４ｃの流入口２４ｄとの相対的な距離ｄ２が、図５に示す水圧Ｐ１の中圧時の調圧弁体４８の後端側口縁部４８ｄと水側通水路２４の取付室２４ｃの流入口２４ｄとの相対的な距離ｄ１よりも小さくなり、調圧弁体４８の後端側口縁部４８ｄと水側通水路２４の取付室２４ｃの流入口２４ｄとの間の流路が狭くなり、調圧弁３６の調圧弁体４８を通過する水の流量が絞られることにより調圧が行われるようになっている。
【００３２】
つぎに、図２、図５及び図６に示すように、止水栓部材３４の回転軸部４２は、調圧弁３６の調圧ばね５０の前端部５０ｂが調圧弁体４８の肩部４８ｂ（受圧部４８ｃ）の内面を軸方向外側（図５の前側方向）に付勢しているときに、調圧弁体４８が止水栓部材３４の回転軸部４２の前端部近傍の所定位置Ａ１よりも軸方向外側に移動しないように規制するための移動規制手段である止め環部材５４を備えている。
この止め環部材５４は、上下方向から見て概ねＣ型形状となっており、止水栓部材３４の回転軸部４２の前端部近傍の所定位置Ａ１の外周面の周方向に沿って形成された切欠き４２ｄに嵌め込まれるようになっている。
さらに、止め環部材５４は、止水栓部材３４の回転軸部４２の切欠き４２ｄに嵌め込んだ状態では、調圧弁体４８の首部４８ｅの前端部４８ｆ（図７参照）に当接可能に止水栓部材３４の回転軸部４２の所定位置Ａ１の外周面から半径方向外側に突出している。
なお、本実施形態の調圧機能付き止水栓装置１では、調圧弁体４８が止水栓部材３４の回転軸部４２の前端部近傍の所定位置Ａ１よりも軸方向外側に移動しないように規制するための移動規制手段の例として、止め環部材５４を採用した形態について説明するが、このような形態に限定されず、止水栓部材３４の回転軸部４２の前端部近傍の所定位置Ａ１の外周面に半径方向外側に突出する突起を一体的に形成し、調圧弁体４８の首部４８ｅの前端部４８ｆに当接可能とするような形態であってもよい。
【００３３】
つぎに、図２〜図５及び図８に示すように、止水栓ガイド部材３８は、水側通水路２４の取付室２４ｃ内に取り付けられた止水栓部材３４及び調圧弁３６に軸方向外側から着脱可能に取り付けられる止水栓ガイド部材本体５６と、水側通水路２４の取付室２４ｃ内における調圧弁３６の調圧弁体４８の外周側の２次側通水路３２を取り囲むように止水栓ガイド部材本体５６の後端部の内周面５６ａに着脱可能に取り付けられて水側通水路２４の取付室２４ｃ流入する通水中に含まれるごみをろ過するフィルター部材５８とを備えている。
【００３４】
止水栓ガイド部材本体５６の外周面には、外周面に形成された雄ねじ５６ｂを備え、この雄ねじ５６ｂは、水側脚部材２０の調圧機能付き止水栓装置１の取付部２０ｃの雌ねじ２０ｄに螺合させるようになっている。
また、止水栓ガイド部材３８は、止水栓ガイド部材本体５６の外周面の雄ねじ５６ｂの前方側に取り付けれる外側オーリング６０を備え、この外側オーリング６０により、止水栓ガイド部材本体５６が調圧弁３６の外周側を覆うように正面側から水側脚部材２０の取付部２０ｃに取り付けられた状態で、止水栓ガイド部材本体５６の外周面と水側脚部材２０の取付部２０ｃの内周面との隙間が密封されるようになっている。
【００３５】
さらに、止水栓ガイド部材本体５６の内周面は、前側ガイド部５６ｃと、後側ガイド部５６ｄとを備え、前側ガイド部５６ｃは、止水栓ガイド部材本体５６が水側通水路２０の取付部２０ｃに取り付けられた状態で止水栓部材３４の回転軸部４２の操作部４２ｂが操作可能となるように、止水栓部材３４の回転軸部４２の操作部４２ｂと調圧弁３６の調圧弁体４８の首部４８ｅの外周を取り囲み、止水栓部材３４の回転軸部４２の操作部４２ｂと調圧弁３６の調圧弁体４８の軸方向の移動をガイドすることができるようになっている。
また、止水栓ガイド部材本体５６の内周面の後側ガイド部５６ｄは、調圧弁３６の調圧弁体４８の肩部４８ｂから後方の段部４８ｇまで延びる調圧弁体４８の側壁部４８ｈ（図７参照）の軸方向の移動をガイドすることができるようになっている。
【００３６】
さらに、止水栓ガイド部材本体５６の前側ガイド部５６ｃには、その内周面と調圧弁３６の調圧弁体４８の首部４８ｅの外周面との隙間を密封するための内側オーリング６２が設けられている。
また、止水栓ガイド部材本体５６の後側ガイド部５６ｄには、調圧弁３６の調圧弁体４８の側壁部４８ｈを軸方向に摺動可能に保持するＣ型リング６４が設けられ、このＣ型リング６４により、調圧弁３６の調圧弁体４８が軸方向に移動する際のガタツキを抑制し、このガタツキによる異音の発生を抑制することができるようになっている。
【００３７】
さらに、図８に示すように、止水栓ガイド部材３８のフィルター部材５８のほぼ円筒状の外周面の前側と後側のそれぞれの部分には、半径方向外側に突出する複数の前側取付用突起５８ａと後側取付用突起５８ｂが形成され、フィルター部材５８の前側取付用突起５８ａが止水栓ガイド部材本体５６の後端部の内周面５６ａに嵌合され、フィルター部材５８の後側取付用突起５８ｂが水側通水路２４の取付室２４ｃの内周面の後方側に嵌合されるようになっている。また、止水栓ガイド部材３８を水側脚部材２０の取付部２０ｃから着脱する際には、止水栓ガイド部材本体５６とフィルター部材５８が一体に取り付けられた状態で着脱することができるようになっている。
【００３８】
また、止水栓ガイド部材本体５６は、その前端部にスパナ等の工具（図示せず）が取り付け可能で、この工具により止水栓ガイド部材本体５６の中心軸線Ｃの軸線回りの回転操作が可能な操作部５６ｅを備えている。
止水栓ガイド部材３８が水側脚部材２０の取付部２０ｃに取り付けられた状態で止水栓ガイド部材３８のみを取り外す際には、まず、止水栓部材３４の操作部４２ｂのキー溝４２ｃにマイナスドライバー等の工具（図示せず）を嵌め込んで回すことにより、止水栓部材３４の雄ねじ部４０及び回転軸部４２について中心軸線Ｃの軸線回りの回転操作して軸方向の後方へ移動させる。そして、止水栓部材３４の止水弁体部４４の後側支持突起４４ｂの後端部（回転軸部４２の後端部４２ａ）及びパッキン４６の後端面４６ａを水側通水路２４の取付室２４ｃの流入口２４ｄに当接して密着させることにより、水側通水路２４の取付室２４ｃの流入口２４ｄを閉鎖した止水状態にした後、スパナ等の工具（図示せず）を用いて止水栓ガイド部材３８の止水栓ガイド部材本体５６の操作部５６ｅを中心軸線Ｃの軸線回りの回転操作することにより、水側脚部材２０の取付部２０ｃの雌めじ２０ｄと止水栓ガイド部材本体５６の雄ねじ５６ｂとの螺合を解除することにより、水側脚部材２０の取付部２０ｃに止水栓部材３４と調圧弁３６が取り付けられて水側通水路２４の取付室２４ｃの流入口２４ｄが止水された状態で、止水栓ガイド部材本体５６とフィルター部材５８が水側脚部材２０の取付部２０ｃから取り外し可能となっている。
【００３９】
つぎに、上述した本発明の第１実施形態による調圧機能付き止水栓装置を備えた水栓装置の動作（作用）について説明する。
まず、図５及び図９に示すように、止水栓部材３４の止水弁体部４４によって、流入口２４ｄが開放された状態では、一次側通水路３０内の水は、止水栓部材３４の雄ねじ部４０の内周面４０ｃによって形成される流路を通過して流入口２４ｄを経て取付室２４ｃ内に流れ込む。そして、この取付室２４ｃ内に流れ込んだ水は、止水栓部材３４の止水弁体部４４のパッキン４６により調圧弁３６の調圧弁体４８の内部のばね室５２への浸入が阻止された状態で、調圧弁体４８の外側からフィルター部材５８を通過して、２次側通水路３２へ流出する。
【００４０】
このとき、図５に示すように、取付室２４ｃ内において、調圧弁３６の調圧弁体４８の受圧部４８ｃが受圧する水圧Ｐ１が所定値以上に達すると、この水圧Ｐ１が調圧弁体４８を軸方向内側（図５の後側方向）に押圧する力が調圧ばね５０の付勢力Ｆ１を上回り、調圧弁体４８が止水栓部材３４の回転軸部４２に対して軸方向内側（図５の後側方向）に移動し、調圧弁体４８の後端側口縁部４８ｄと水側通水路２４の取付室２４ｃの流入口２４ｄとの相対的な距離ｄ１が調整され、一次側通水路３０から取付室２４ｃ内の流入口２４ｄを経て水側通水路２４の出口２４ｂから湯水混合水栓装置本体４へ流出する水の圧力が調整される。
【００４１】
さらに、図９に示すように、調圧弁３６の調圧弁体４８の受圧部４８ｃが受圧する水圧Ｐ２が図５に示す中圧時の通水状態の水圧Ｐ１よりも高い高圧時の通水状態では、調圧弁体４８の後端側口縁部４８ｄと水側通水路２４の取付室２４ｃの流入口２４ｄとの相対的な距離ｄ２が、図５に示す水圧Ｐ１の中圧時の調圧弁体４８の後端側口縁部４８ｄと水側通水路２４の取付室２４ｃの流入口２４ｄとの相対的な距離ｄ１よりも小さくなり、調圧弁体４８の後端側口縁部４８ｄと水側通水路２４の取付室２４ｃの流入口２４ｄとの間の流路が狭くなり、調圧弁３６の調圧弁体４８を通過する水の流量が絞られることにより調圧が行われる。
【００４２】
一方、調圧弁３６の調圧弁体４８の受圧部４８ｃで受圧した水圧Ｐ１が所定値未満である場合には、調圧弁体４８から調圧ばね５０の軸方向に作用する圧縮荷重も所定値未満となり、調圧ばね５０は軸方向に圧縮されることなく、調圧弁体４８の首部４８ｅの前端部４８ｆが、止水栓部材３４の回転軸部４２の前端部近傍の所定位置Ａの止め環部材５４に当接し、調圧弁体４８の後端側口縁部４８ｄと水側通水路２４の取付室２４ｃの流入口２４ｄとの相対的な距離は、図５に示す水圧Ｐ１の中圧時の調圧弁体４８の後端側口縁部４８ｄと水側通水路２４の取付室２４ｃの流入口２４ｄとの相対的な距離ｄ１よりも大きくなる。
【００４３】
その後、通水状態の２次側通水路３２内の水は、水側脚部材２０の下流側接続部２８（湯水混合水栓装置本体４の水側流入部８）から湯水混合水栓装置本体４内に流れ込み、この本体４内で湯側脚部材１８から流れ込んだ湯と混合される。この湯水混合水栓装置本体４内で湯水が混合される際、温度調節装置１４によって混合された湯水の温度が調整され、その後、スパウト１０の吐水口１０ａまたはシャワーホース１２へ送られて吐水される。
【００４４】
また、湯水混合水栓装置本体４側の各部や、フィルター部材５８等の調圧弁３６の各部についてメンテナンスを行う際には、まず、吐水口／シャワー切替装置１６によって湯水混合水栓装置２のスパウト１０の吐水口１０ａ若しくはシャワーホース１２を開放する。このようにすることで、確実に止水されていることを確認できるようになる。
【００４５】
つぎに、調圧機能付き止水栓装置１の止水栓部材３４の止水弁体部４４が流入口２４ｄを閉鎖するように、止水栓部材３４の回転軸部４２の操作部４２ｂのキー溝４２ｃを回転させて、止水栓部材３４の雄ねじ部４０を中心軸線Ｃの軸線回りに回転し、止水栓部材３４の雄ねじ部４０が、螺合する水側通水路２４の雌ねじ部２４ｅに沿って回転すると、止水栓部材３４の回転軸部４２及び雄ねじ部４０が軸方向上流側（後方）に移動する。これにより、止水栓部材３４の止水弁体部４４の後側支持突起４４ｂの後端部（回転軸部４２の後端部４２ａ）及びパッキン４６の後端面４６ａが水側通水路２４の取付室２４ｃの流入口２４ｄに当接して密着し、１次側通水路３０及び２次側通水路３２が止水状態となる（図４参照）。このとき、調圧弁３６の調圧弁体４８の首部４８ｅ及び側壁部４８ｈのそれぞれについても、止水栓ガイド部材本体５６の前側ガイド部５６ｃ及び後側ガイド部５６ｄのそれぞれによって軸方向上流側（後方）にガイドされる。
【００４６】
その後、止水栓ガイド部材３８の止水栓ガイド部材本体５６の雄ねじ５６ｂと水側脚部材２０の調圧機能付き止水栓装置１の取付部２０ｃの雌ねじ２０ｄとの螺合を解除するように止水栓ガイド部材本体５６の操作部５６ｅを中心軸線Ｃの軸回りに回転させることにより、止水栓ガイド部材本体５６とフィルター部材５８を一体的に回転させることにより、止水栓部材３４の止水弁体部４４及びパッキン４６が水側通水路２４の取付室２４ｃの流入口２４ｄを閉鎖して１次側通水路３０を止水した状態にしたまま、止水栓ガイド部材本体５６とフィルター部材５８を水側脚部材２０の取付部２０ｃから取り外す。
【００４７】
さらに、フィルター部材５８についてメンテナンスを行う場合には、フィルター部材５８を止水栓ガイド部材本体５６に対して軸方向に引く抜くことにより、フィルター部材５８を止水栓ガイド部材本体５６から取り外す。
また、調圧弁３６についてメンテナンスを行う場合には、止水栓部材３４の止水弁体部４４及びパッキン４６が水側通水路２４の取付室２４ｃの流入口２４ｄを閉鎖して１次側通水路３０を止水した状態にしたまま、止水栓ガイド部材本体５６とフィルター部材５８を取り外した状態で、止め環部材５４と止水栓部材３４の回転軸部４２の切欠き４２ｄとの嵌合を解除し、調圧弁３６の調圧弁体４８や調圧ばね５０を止水栓部材３４に対して前方に引き出すことにより、水側脚部材２０の取付部２０ｃの内部から前方に取り出す。
【００４８】
また、調圧弁３６のメンテナンスの終了後、調圧弁３６を止水栓部材３４に取り付けた後、止水栓ガイド部材本体５６とフィルター部材５８を調圧弁３６の軸方向外側（前方）から水側脚部材２０の取付部２０ｃに取り付ける。その後、止水状態の水側脚部材２０を再び通水状態に設定する場合には、止水弁体部４４が流入口２４ｄを開放するように、止水栓部材３４の回転軸部４２の操作部４２ｂのキー溝４２ｃを回転させて、止水栓部材３４の雄ねじ部４０を中心軸線Ｃの軸線回りに回転し、止水栓部材３４の回転軸部４２及び雄ねじ部４０が軸方向下流側（前方）に移動する。これにより、止水栓部材３４の止水弁体部４４の後側支持突起４４ｂの後端部（回転軸部４２の後端部４２ａ）及びパッキン４６の後端面４６ａが水側通水路２４の取付室２４ｃの流入口２４ｄから離間し、流入口２４ｄが開放されて１次側通水路３０及び２次側通水路３２が通水状態となる（図５及び図９参照）。
【００４９】
上述した本発明の第１実施形態の調圧機能付き止水栓装置１を備えた湯水混合水栓装置２によれば、調圧弁３６の調圧ばね５０が調圧弁体４８の内部のばね室５２に設けられ、この調圧ばね５０の後端部５０ａが止水栓部材３４の止水弁体部４４の前側支持突起４４４ａに当接し、調圧ばね５０の前端部５０ｂが調圧弁体４８の肩部４８ｂ（受圧部４８ｃ）の内面を軸方向外側（前方）に付勢する構造となっていることに加え、調圧弁３６の調圧弁体４８が止水栓部材３４の回転軸部４２、止水弁体部４４、パッキン４６及び調圧ばね５０のそれぞれの外周を取り囲むようにほぼ筒状に形成され、調圧ばね５０と止水栓部材３４の止水弁体部４４が調圧弁３６の調圧弁体４８の内部に収容されている構造となっている。したがって、止水栓部材３４の止水弁体部４４が調圧弁３６の調圧弁体４８の外部の軸方向に直列に配置された構造に比べて、止水栓部材３４の止水弁体部４４から調圧弁３６の調圧弁体４８の受圧部４８ｃまでの軸方向の距離を短くすることができ、調圧機能付き止水栓装置１の全体の軸方向の長さを短くすることができる。したがって、調圧機能付き止水栓装置１の全体の大きさについて、従来の調圧機能を備えていない止水栓装置全体の大きさの程度に抑えることができ、調圧機能を備えていない従来の止水栓装置が取り付けられていた湯水混合水栓装置の脚部材の通水路の取付箇所においても、従来の止水栓装置を取り外して本実施形態の調圧機能付き止水栓装置１を容易に取り換えることができる。また、止水栓部材３４の止水弁体部４４が水側通水路２４の取付室２４ｃの流入口２４ｄを閉鎖している止水状態で止水栓ガイド部材３８の止水栓ガイド部材本体５６とフィルター部材５８を水側脚部材２０の取付部２０ｃから取り外すことができるため、止水状態を維持しながら、調圧弁３６や止水栓ガイド部材３８のフィルター部材５８のメンテナンスを容易に行うことができる。
【００５０】
また、本実施形態の調圧機能付き止水栓装置１を備えた湯水混合水栓装置２によれば、調圧弁３６の調圧弁体４８が止水栓部材３４の回転軸部４２の前端部近傍の所定位置Ａ１所定位置よりも軸方向外側に移動しないように規制するための手段として、簡易な構造である止め環部材５４を採用し、止水栓部材３４の回転軸部４２の前端部近傍の所定位置Ａ１に形成された切欠き４２ｄに嵌め込むことにより、この止め環部材５４が調圧弁３６の調圧弁体４８の首部４８ｅの前端部４８ｆに当接可能に半径方向外側に突出し、止水栓部材３４の回転軸部４２に対する調圧弁３６の調圧弁体４８の軸方向の移動範囲を容易に規制することができる。したがって、簡単な構造によって調圧機能付き止水栓装置１の全体の軸方向の長さを効果的に抑えることができる。
【００５１】
さらに、本実施形態の調圧機能付き止水栓装置１を備えた湯水混合水栓装置２によれば、止水栓部材３４の止水弁体部４４のパッキン４６が、水側通水路２４が止水状態のときに、水側通水路２４の取付室２４ｃの流入口２４ｄをパッキン４６の後端面４６ａにより密封する機能と、水側通水路２４が通水状態のときに、調圧弁３６の調圧弁体４８がパッキン４６に対して軸方向に摺動可能となるように調圧弁３６の調圧弁体４８の内周面４８ａとパッキン４６の外周面４６ｂとの隙間を密封する機能を兼ね備えることができるため、パッキン４６を含めた止水栓部材３４の止水弁体部４４の軸方向の幅を抑えることができ、この止水弁体部３４に当接する調圧弁３６の調圧ばね５０の後端部５０ａの取付位置をより水側通水路２４の取付室２４ｃの流入口２４ｄ側に設定することができる。したがって、調圧機能付き止水栓装置１の全体の軸方向の長さをより効果的に抑えることができる。
【００５２】
また、本実施形態の調圧機能付き止水栓装置１を備えた湯水混合水栓装置２によれば、湯水混合水栓装置本体４の上流側に接続される湯側脚部材１８及び水側脚部材２０のそれぞれに取り付けられた調圧機能付き止水栓装置１の止水栓部材３４の回転軸部４２の操作部４２ｂを操作することにより、止水栓部材３４の止水栓弁部４４が各脚部材１８，２０の各通水路２２，２４の取付室２４ｃの流入口２４ｄを閉鎖して止水操作を容易に行うことができると共に、止水状態において止水栓ガイド部材３８を各脚部材１８，２０から取り外すことにより、止水状態を維持しながら、調圧弁３６や止水栓ガイド部材３８のフィルター部材５８のメンテナンスを容易に行うことができる。さらに、現場で湯側通水路１８及び水側通水路２０のそれぞれから湯水混合水栓装置本体４に供給される湯と水のそれぞれの供給圧力が大きく異なる場合であっても、調圧機能付き止水栓装置１の調圧弁３６を通過する水の圧力がほぼ一定に調整されるため、湯水混合水栓装置本体４に供給された湯水が、温度調節装置１４により設定された温度とほぼ等しい温度に調節され、湯水混合水栓装置１のスパウト１０又はシャワーホース１２から適温な湯水を吐出することができる。
【００５３】
つぎに、図１０を参照して、本発明の第２実施形態による調圧機能付き止水栓装置を備えた水栓装置について説明する。
図１０は、本発明の第２実施形態による低圧時の通水状態の調圧機能付き止水栓装置を備えた水栓装置の水側脚部材の部分を拡大した部分拡大断面図である。
ここで、図１０において、本発明の第１実施形態による調圧機能付き止水栓装置を備えた水栓装置と同一の部分については同一の符号を付し、それらの説明は省略する。
【００５４】
図１０に示すように、本発明の第２実施形態による調圧機能付き止水栓装置１００においては、止水栓ガイド部材１３８が、上述した本発明の第１実施形態の調圧機能付き止水栓装置１の止水栓ガイド部材本体５６と同一の構成を備え、第１実施形態の調圧機能付き止水栓装置１の止水栓ガイド部材３８のフィルター部材５８を省略している点で第１実施形態による調圧機能付き止水栓装置１と異なっている。
【００５５】
本発明の第２実施形態による調圧機能付き止水栓装置１００によれば、第１実施形態の調圧機能付き止水栓装置１の止水栓ガイド部材３８のフィルター部材５８を省略しているため、調圧機能付き止水栓装置１００の全体の軸方向の長さをさらに短くすることができる。
【００５６】
つぎに、図１１を参照して、本発明の第３実施形態による調圧機能付き止水栓装置を備えた水栓装置について説明する。
図１１は、本発明の第３実施形態による低圧時の通水状態の調圧機能付き止水栓装置を備えた水栓装置の水側脚部材の部分を拡大した部分拡大断面図である。
ここで、図１１において、本発明の第１及び第２実施形態による調圧機能付き止水栓装置を備えた水栓装置と同一の部分については同一の符号を付し、それらの説明は省略する。
【００５７】
図１１に示すように、本発明の第３実施形態による調圧機能付き止水栓装置２００においては、止水栓部材２３４の止水弁体部２４４が、前後方向に所定間隔をおいて半径方向外側に突出するように形成された前側支持突起２４４ａ及び後側支持突起２４４ｂと、これらの前側支持突起２４４ａと後側支持突起２４４ｂとの間に取り付けられて保持される円環状のシール部材であるパッキン２４６と、前側支持突起２４４ａの外周面に形成されて半径方向内側に凹んだ凹部２４４ｃに嵌め込まれた円環状のシール部材であるオーリング２４８とを備えている。
【００５８】
また、止水栓部材２３４の止水弁体部２４４の後側支持突起２４４ｂ及びパッキン２４６の後端面２４６ａが水側通水路２４の取付室２４ｃの流入口２４ｄに当接して密着しているときには、流入口２４ｄが弁座となって水側通水路２４の１次側通水路３０と２次側通水路３２とが止水された状態となるようになっている。
【００５９】
一方、止水栓部材２３４の止水弁体部２４４の後側支持突起２４４ｂ及びパッキン２４６が水側通水路２４の取付室２４ｃの流入口２４ｄに当接していないときには、水側通水路２４の１次側通水路３０と２次側通水路３２とが通水された状態となり、調圧弁３６の調圧弁体４８がパッキン２４６の外周面２４６ｂに対して軸方向に摺動可能となり且つ水側通水路２４の取付室２４ｃ内に流入した水が調圧弁体４８の内部の調圧ばね５０のばね室５２内に浸入しないように、パッキン２４６の外周面２４６ｂとオーリング２４８の外周面２４８ａが調圧弁体４８の内周面４８ａとの隙間を密封するようになっている。
【００６０】
さらに、止水栓部材２３４の止水弁体部２４４の前側支持突起２４４ａにおける前面には、調圧ばね５０の後端部５０ａが取り付けられる取付用凹部２４４ｄが形成されている。
【００６１】
上述した本発明の第３実施形態調圧機能付き止水栓装置２００によれば、止水栓部材２３４の止水弁体部２４４のパッキン２４６が、水側通水路２４が止水状態のときに、水側通水路２４の取付室２４ｃの流入口２４ｄをパッキン２４６の後端面２４６ａにより密封することができ、水側通水路２４が通水状態のときに、調圧弁３６の調圧弁体４８がパッキン２４６及びオーリング２４８に対して軸方向に摺動可能となるように調圧弁３６の調圧弁体４８の内周面４８ａとパッキン２４６の外周面２４６ｂ及びオーリング２４８の外周面２４８ａとの隙間を密封することができる。また、止水栓部材２３４の止水弁体部２４４の前側支持突起２４４ａの前面に形成されて調圧ばね５０の後端部５０ａが取り付けられる取付用凹部２４４ｄにより、止水弁体部２３４の取付用凹部２４４ｄに当接する調圧弁３６の調圧ばね５０の後端部５０ａの取付位置をより水側通水路２４の取付室２４ｃの流入口２４ｄ側に設定することができるため、調圧機能付き止水栓装置２００の全体の軸方向の長さをより効果的に抑えることができる。
【００６２】
なお、上述した本発明の第１〜第３実施形態による調圧機能付き止水栓装置を備えた水栓装置においては、例として、湯水混合水栓装置であるサーモスタット混合栓に適用した形態ついて説明したが、このような形態に限定されず、例えば、湯水混合水栓装置については、サーモスタット混合栓以外にも、吐水及び止水を切り替える開閉弁について湯側用と水側用を共用するシングルレバータイプの混合栓や、開閉弁を湯側用と水側用で別々に設けた２ハンドルタイプの混合栓等に適用してもよい。あるいは、単水栓等にも適用してもよい。
【００６３】
つぎに、図１２を参照して、本発明の第４実施形態による調圧機能付き止水栓装置を備えた水栓装置について説明する。
図１２は本発明の第４実施形態による低圧時の通水状態の調圧機能付き止水栓装置を備えた水栓装置の水側脚部材の部分を拡大した部分拡大断面図である。
ここで、図１２において、本発明の第１〜第３実施形態による調圧機能付き止水栓装置を備えた水栓装置と同一の部分については同一の符号を付し、それらの説明は省略する。
【００６４】
図１２に示すように、本発明の第３実施形態による調圧機能付き止水栓装置１においては、調圧ばね５０は、軸方向の圧縮力により軸方向に伸縮可能な圧縮コイルばねであり、予め所定の圧縮荷重（予荷重）を与えられた状態で調圧ばね５０の後端部５０ａが止水栓部材３４の調圧ばね支持部に当接し、調圧ばね５０の前端部５０ｂが調圧弁体４８の肩部４８ｂの内面に当接している。
【符号の説明】
【００６５】
１    調圧機能付き止水栓装置
２    湯水混合水栓装置
４    湯水混合水栓装置本体
６    湯側流入部
８    水側流入部
１０    スパウト
１０ａ  吐水口（吐水部）
１２    シャワーホース（吐水部）
１４    温度調節装置
１６    カラン／シャワー切替装置（吐止水切替手段）
１８    湯側脚部材
２０    水側脚部材
２０ａ  水側脚部材の正面
２０ｂ  水側脚部材の背面
２０ｃ  水側脚部材の調圧機能付き止水栓装置の取付部
２０ｄ  水側脚部材の調圧機能付き止水栓装置の取付部の雌ねじ
２２    湯側通水路
２４    水側通水路
２４ａ  水側通水路の入口
２４ｂ  水側通水路の出口
２４ｃ  水側通水路の取付室
２４ｄ  水側通水路の取付室の流入口
２４ｅ  水側通水路の雌ねじ部
２６    水側脚部材の上流側接続部
２８    水側脚部材の下流側接続部
３０    １次側通水路
３２    ２次側通水路
３４    止水栓部材
３６    調圧弁
３８    止水栓ガイド部材
４０    止水栓部材の雄ねじ部
４０ａ  止水栓部材の雄ねじ部の前面
４０ｂ  止水栓部材の雄ねじ部の柱部
４０ｃ  止水栓部材の雄ねじ部の内周面
４２    止水栓部材の回転軸部
４２ａ  止水栓部材の回転軸部の後端部
４２ｂ  止水栓部材の回転軸部の操作部
４２ｃ  止水栓部材の回転軸部の操作部のキー溝
４２ｄ  止水栓部材の回転軸部の切欠き
４４    止水栓部材の止水弁体部
４４ａ  止水栓部材の止水弁体部の前側支持突起
４４ｂ  止水栓部材の止水弁体部の後側支持突起
４５    止水栓部材の調圧ばね支持部
４６    パッキン（シール部材）
４６ａ  パッキンの後端面
４６ｂ  パッキンの外周面
４８    調圧弁体
４８ａ  調圧弁体の内周面
４８ｂ  調圧弁体の肩部
４８ｃ  調圧弁体の受圧部
４８ｄ  調圧弁体の後端側口縁部
４８ｅ  調圧弁体の首部
４８ｆ  調圧弁体の首部の前端部
４８ｇ  調圧弁体の段部
４８ｈ  調圧弁体の側壁部
５０    調圧ばね
５０ａ  調圧ばねの後端部
５０ｂ  調圧ばねの前端部
５２    ばね室
５４    止め環部材
５６    止水栓ガイド部材本体
５６ａ  止水栓ガイド部材本体の後端部の内周面
５６ｂ  止水栓ガイド部材本体の雄ねじ
５６ｃ  止水栓ガイド部材本体の前側ガイド部
５６ｄ  止水栓ガイド部材本体の後側ガイド部
５６ｅ  止水栓ガイド部材本体の操作部
５８    フィルター部材
５８ａ  フィルター部材の取付用突起
５８ｂ  フィルター部材の取付用突起
６０    外側オーリング
６２    内側オーリング
６４    Ｃ型リング
【図１】
2014009782.tif 000003
【図２】
2014009782.tif 000004
【図３】
2014009782.tif 000005
【図４】
2014009782.tif 000006
【図５】
2014009782.tif 000007
【図６】
2014009782.tif 000008
【図７】
2014009782.tif 000009
【図８】
2014009782.tif 000010
【図９】
2014009782.tif 000011
【図１０】
2014009782.tif 000012
【図１１】
2014009782.tif 000013
【図１２】
2014009782.tif 000014